(57)【要約】【課題】  スライド扉と床面との隙間に応じてパッキンの調整を行うことができるようにしたスライド扉装置を提供する【解決手段】  庫体１の開口部２の上部側に水平に配設される案内レール３と、開口部２を開閉する扉体５と、扉体５の上部に装着されて案内レール３を転走可能な吊り車輪７と、扉体５の下端部に垂下状に装着され、床面８に接触するパッキン９とを有するスライド扉装置において、パッキン９を、扉体５の下端側面に沿設される押え金具９０を介して扉体５にねじ結合されるねじ部材８０によって装着すると共に、扉体５の下端に対して高さ調節可能に形成する。【選択図】    図２
2005344948.tif 000002
【特許請求の範囲】
【請求項１】
建造物の庫体の出入口用開口部の上部側に水平に配設される案内レールと、上記出入口用開口部を開閉する扉体と、この扉体の上部に装着されて、上記案内レールに転走可能に係合する吊り車輪と、上記扉体の下端部に垂下状に装着され、床面に接触するパッキンと、を具備するスライド扉装置において、
上記パッキンを、上記扉体の下端側面に沿設される押え金具を介して扉体にねじ結合されるねじ部材によって装着すると共に、扉体の下端に対して高さ調節可能に形成してなる、ことを特徴とするスライド扉装置。
【請求項２】
請求項１記載のスライド扉装置において、
上記押え金具における少なくとも両端部側の２箇所に、鉛直方向の延びる長孔を形成し、上記長孔内にねじ部材を貫挿可能に形成し、かつ、長孔内に挿入されるカッタによってパッキンに切れ目を形成可能にしてなる、ことを特徴とするスライド扉装置。
【発明の詳細な説明】
【技術分野】
【０００１】
この発明は、スライド扉装置に関するもので、更に詳細には、建造物の庫体の出入口用開口部の上部側に水平状に配設される案内レールと、上記出入口用開口部を開閉する扉体と、上記扉体の上部に装着されて、上記案内レールに転走可能に係合する吊り車輪と、上記扉体の下端部に垂下状に装着され、床面に接触するパッキンとを具備するスライド扉装置に関するものである。
【背景技術】
【０００２】
一般に、冷蔵庫等の出入口用開口部を開閉する扉の開閉手段として、スライド扉が広く使用されている。従来、この種のスライド扉は、冷蔵庫等の出入口用開口部を閉鎖する際、スライド扉の下端から庫体内の冷気が流出するのを防ぐために、スライド扉の下端部に、床面に接触するパッキンを装着した構造となっている。
【０００３】
上記従来のスライド扉装置として、例えば、冷蔵庫等の庫体の出入口用開口部の上部側に水平状に配設される案内レールと、出入口用開口部を開閉する扉体の上部に装着されて、案内レールに転走可能に係合する吊り車輪とを具備する冷蔵庫等の扉装置において、扉体の下端部に、床面に接触するパッキンを垂下状に装着し、扉体の下端と床面との隙間をパッキンによって塞ぐために、扉体の吊り車輪部の操作によって扉体の上下調整を行う構造のものが知られている（例えば特許文献１参照）。
【０００４】
また、スライド扉に相当する移動壁内の上，下端部に、パッキンに相当する上，下密接部材を配設し、移動壁内に組み込まれる上，下の昇降シャフトに連接されるいわゆるパンタグラフ式のリンク機構を有する昇降シャフト駆動機構によって、上，下密接部材を昇降可能に形成してなる構造のものが知られている（例えば特許文献２参照）。
【特許文献１】特開２０００−８８４４１（図２）
【特許文献２】実開平３−４０４８３号（実用新案登録請求の範囲、図１）
【発明の開示】
【発明が解決しようとする課題】
【０００５】
しかしながら、前者すなわち特開２０００−８８４４１に記載のものにおいては、パッキンの長さが決まっているので、冷蔵庫等におけるスライド扉の設置場所の状態によって、扉体と床面との隙間が広くなった場合には、扉体の上下調整だけでは、扉体と床面との隙間を塞ぐことができないという問題があった。また、扉体の左右で下部の隙間の広さが違う場合には、扉体を傾斜させて隙間を塞ぐ必要があり、このように扉体を傾斜して装着すると、扉体の開閉に支障をきたすという問題もあった。
【０００６】
また、後者すなわち実開平３−４０４８３号に記載のものにおいては、移動壁と床面との間隔に応じて上，下密接部材を昇降することができるが、構成部材が多く、構造が複雑である上、断熱パネルには組み込めなという問題があった。また、移動壁の左右の下部の隙間の広さが違う場合には、隙間を塞ぐことができないという問題があった。
【０００７】
この発明は、上記事情に鑑みてなされたもので、スライド扉と床面との隙間に応じてパッキンの調整を行うことができるようにしたスライド扉装置を提供することを課題とする。
【課題を解決するための手段】
【０００８】
上記課題を解決するために、この発明のスライド扉装置は、建造物の庫体の出入口用開口部の上部側に水平に配設される案内レールと、上記出入口用開口部を開閉する扉体と、この扉体の上部に装着されて、上記案内レールに転走可能に係合する吊り車輪と、上記扉体の下端部に垂下状に装着され、床面に接触するパッキンと、を具備するスライド扉装置において、  上記パッキンを、上記扉体の下端側面に沿設される押え金具を介して扉体にねじ結合されるねじ部材によって装着すると共に、扉体の下端に対して高さ調節可能に形成してなる、ことを特徴とする（請求項１)。
【０００９】
この発明において、上記押え金具における少なくとも両端部側の２箇所に、鉛直方向の延びる長孔を形成し、上記長孔内にねじ部材を貫挿可能に形成し、かつ、長孔内に挿入されるカッタによってパッキンに切れ目を形成可能にする方が好ましい（請求項２）。
【発明の効果】
【００１０】
この発明によれば、上記のように構成されているので、以下のような効果が得られる。
【００１１】
（１）請求項１記載の発明によれば、扉体の下端部に垂下状に装着されるパッキンを、扉体の下端側面に沿設される押え金具を介して扉体にねじ結合されるねじ部材によって装着すると共に、扉体の下端部に対して高さ調節可能に形成することによって、扉体の下端と床面との隙間の広狭に応じて扉体の下端と床面との隙間を塞ぐことができるので、庫体内の冷気等の雰囲気を維持することができる。
【００１２】
（２）請求項２記載の発明によれば、押え金具における少なくとも両端部側の２箇所に、鉛直方向の延びる長孔を形成し、長孔内にねじ部材を貫挿可能に形成し、かつ、長孔内に挿入されるカッタによってパッキンに切れ目を形成可能に形成することにより、扉体の左右の下部と床面との隙間が違う場合でも、扉体の下端と床面との隙間を確実に塞ぐことができる。また、長孔及び切れ目をスライドしてパッキンの高さ調節を行うことができるので、上記（１）に加えて、更に、スライド扉装置の設置場所に応じてパッキンの高さ調節を容易に行うことができる。
【発明を実施するための最良の形態】
【００１３】
以下に、この発明に係るスライド扉装置の最良の形態を添付図面に基づいて詳細に説明する。ここでは、この発明に係るスライド扉装置をプレハブ式冷蔵庫に適用した場合について説明する。
【００１４】
図１は、この発明に係るスライド扉装置の一例を示す概略正面図、図２は、上記スライド扉装置を示す断面図、図３は、この発明におけるパッキンの取付状態を示す斜視図である。
【００１５】
上記スライド扉装置は、プレハブ式冷蔵庫の庫体１に開設された出入口用開口部２（以下に開口部２という）の上部側に水平状に配設される案内レール３と、この案内レール３を直線状に載置固定するレール取付部材４と、開口部２を開閉する扉体５と、この扉体５の上端部にブラケット６を介して装着されると共に、案内レール３を転走する吊り車輪７と、扉体５の下端部に垂下状に装着され、床面８に接触するずれパッキン９とで主に構成されている。なお、扉体５の下端部と庫体１の開口部２近傍の床面８との対向する位置には、扉体５を閉鎖する際に互いに係合して扉体５を庫体１の開口部２に押圧する密閉移動手段１０が形成されている。また、開口部２の開口縁部には、開口枠２１が装着されており、開口枠２１の開口縁に沿ってパッキン受座７１が周設されている（図２参照）。
【００１６】
上記案内レール３は、図１及び図２に示すように、レール面３０が断面逆Ｖ字状に隆起する断面略矩形状の複数（この場合２個）のアルミニウム製押出形材レール基部３１と、このレール基部３１に連接される断面略矩形状のピース状のプラスチック製ガイド部材３２とで構成されている。
【００１７】
上記ガイド部材３２は、図１に示すように、扉体５の上部両端部に装着される吊り車輪７に対応するように、案内レール３の閉鎖側前端部と閉鎖側後端部（開放側前端部）及び開放側後端部に配設されている。このガイド部材３２は、図２に示すように、上記庫体１側に向かって円弧状に屈曲する屈曲部（図示せず）が形成され、レール面３４が、レール基部３１のレール面３０と同じ高さになるように組み付けられ（連接され）ており、一側方例えば外方の下辺には、床面８に対して水平に形成されると共に、後述する吊り車輪７の外周縁７ｂが転走可能な支持面３６を有する車輪受け部３５が形成されている。
【００１８】
上記のように構成されるレール基部３１とガイド部材３２は、庫体１に取付ボルト４１をもって取り付けられるレール取付部材４に載置されると共に、固定ボルト（図示せず）をもって固定されている。この場合、レール取付部材４は、図２に示すように、レール基部３１とガイド部材３２とを載置する断面Ｖ字状の保持部４２と、この保持部４２の一端から傾斜状に延在する傾斜部４３と、傾斜部４３の先端に交差状に連結する垂直状の取付部４４と、取付部４４の下端と傾斜部４３の下部とに連結される補強部４５とからなるアルミニウム製押出形材にて形成されている。
【００１９】
このように形成されるレール取付部材４は、保持部４２上にレール基部３１とガイド部材３２を互いに連接した状態で載置し、保持部４２の外側から固定ボルトを螺合して、レール基部３１とガイド部材３２を固定する。そして、取付部４４を庫体１の取付面に当接した状態で、取付ボルト４１を取付部４４に設けられた取付孔（図示せず）を貫通して庫体１に螺合することにより、レール基部３１とガイド部材３２を強固に固定することができる。
【００２０】
したがって、扉体５の閉鎖位置及び開放位置に対応させて、レール基部３１とガイド部材３２との連接位置を適宜代えることができるので、案内レール３の加工を容易にすることができると共に、案内レール３及び扉体５の組付けを容易にすることができる。
【００２１】
なお、レール取付部材４の端部には、扉体５のストッパ部材５０が取り付けられている（図１参照）。また、上記扉体５の戸当り面には、ストッパ部材５０に衝突する合成ゴム製のストッパ片５４が取り付けられている（図１参照）。なお、扉体５の開放位置の床面８には、扉体５のストッパ部材５５が取り付けられている（図１参照）。
【００２２】
一方、上記吊り車輪７は、扉体５の上端におけるスライド方向の両端側の２箇所に取り付けられており、案内レール３のレール面３０，３４の逆Ｖ字状に対応するＶ形溝７ａと、上述したようにレール面３０，３４を転走すると共に、車輪受け部３５の支持面３６上を転走可能な外周縁７ｂとを具備している。また、吊り車輪７は、扉体５の取付状態｛具体的には、扉体５が位置する床面８の凹凸や傾斜状態｝に応じて位置調節が可能となっている。すなわち、扉体５の上端に固定されるＬ形状のブラケット６の垂直片６１に設けられた垂直状の長孔（図示せず）内を摺動可能（上下移動可能）に取り付けられた支持軸６２によって垂直方向に回転自在に装着されている（図２参照）。なお、ブラケット６の垂直片６１の上端には、扉体５が自重によって下がるのを防止するためのストッパ機構６３が設けられている。
【００２３】
このように形成される吊り車輪７は、案内レール３（具体的には、レール基部３１及びガイド部材３２）上をＶ形溝７ａ及び外周縁７ｂが転走することができると共に、扉体５の閉鎖及び開放時には案内レール３のガイド部材３２の屈曲部に沿って閉鎖及び開放位置まで移動できる。また、ガイド部材３２の屈曲部に沿って移動する際、車輪受け部３５の支持面３６によって、吊り車輪７の外周縁７ｂを支持すると共に、吊り車輪７を転走することができるので、扉体５を開閉する際に、吊り車輪７がレール基部３１とガイド部材３２との間をスムーズに転走することができ、扉体５の開閉を容易に行うことができる。
【００２４】
上記扉体５は、一対の表面板５ａと、これら表面板５ａの辺部間に介在される枠材５ｂと、両表面板５ａ及び枠材５ｂにて形成される空間内に発泡ポリウレタン等の発泡性の断熱性心材５ｃを充填したサンドイッチ構造となっており、この扉体５の庫体１側の上辺及び左右辺には、開口部２の開口枠２１に周設されたパッキン受座７１に圧接するパッキング７０が周設されている（図２参照）。また、扉体５の上端には、扉体５の上端に対して高さ調節可能な脱輪防止部材５６が着脱可能に装着されている。また、扉体５の下端の側部における開閉移動の先端部側及び後端部側には扉寄せ部材１１，１２が装着されており、庫体１の開口部２近傍の床面８に配設されて、扉体５の閉鎖位置における扉引寄せ部材１１，１２にそれぞれ係合するガイドローラ１４Ａ，１４Ｂとによって密閉移動手段１０が形成されている（図１及び図２参照）。また、扉体５の外側表面板５ａの下端部には、扉引寄せ部材１１，１２間に連接するようにプロテクタ１３が装着されており、このプロテクタ１３にガイドローラ１４Ａ，１４Ｂが接触することで、表面板５ａを保護することができる。
【００２５】
なお、庫体１の開口枠２１の適宜位置とパッキング受座７１の適宜位置には解凍及び結露水防止用のヒータ（図示せず）が埋設されている。
【００２６】
一方、扉体５の庫体１側の下端部には、床面８に接触するずれパッキン９が垂下状に装着されている（図１ないし図３参照）。
【００２７】
上記ずれパッキン９は、可撓性を有する合成ゴム部材によって形成されており、図２、図３及び図５に示すように、扉体５の下端部に沿って垂下すると共に、下方に向かって開口する断面略逆Ｕ字状に形成され、先端が床面８に接触する一対のパッキン片９１と、これらパッキン片９１の一片の基端部からパッキン片９１と反対の方向に延在し、扉体５の庫体１側の表面板５ａの下端部に沿って押え金具９０を介して取付ねじ８０によって取り付けられる取付片９２とで構成されている。なお、扉体５の下端部には、取付ねじ８０をねじ込み可能な埋木５７が埋設されている。
【００２８】
上記押え金具９０は、例えばアルミニウム製押出形材によって形成されており、図２、図３及び図５に示すように、ずれパッキン９の取付片９２とほぼ同一幅に形成されると共に、取付片９２に沿って延在すべく扉体５の下端側面に沿設されている。この押え金具９０は、長手方向に適宜間隔をおいて鉛直方向に延びる長孔９０ａが偶数個（この場合４個）穿設されている。なお、これら長孔９０ａは、押え金具９０における少なくとも両端部側の２箇所に設けられていればよい。
【００２９】
このように形成されるずれパッキン９を扉体５の下端部に装着するには、まず、ずれパッキン９の取付片９２を扉体５の下端部に配置し、取付片９２の外方に押え金具９０を配置する。この状態で、押え金具９０の長孔９０ａ内に図示しないカッタを挿入し、長孔９０ａ内の取付片９２の略中央に、鉛直方向に切れ目９３を入れる。そして、この長孔９０ａ及び切れ目９３に取付ねじ８０を貫通し、扉体５内に埋設された埋木５７にねじ結合することで、ずれパッキン９を扉体５の下端部に装着することができる。
【００３０】
ここで、スライド扉装置の設置場所に応じたずれパッキン９の取付態様について説明する。図６（ａ）に示すように、扉体５の下端と床面８との隙間Ｓ1が狭い場合は、ずれパッキン９を上方にずらし、取付ねじ８０を押え金具９０の長孔９０ａ及び切れ目９３の下方部に位置させてねじ結合し、ずれパッキン９を扉体５の下端部に装着する。また、図６（ｂ）に示すように、扉体５の下端と床面８との隙間Ｓ2が広い場合は、ずれパッキン９を下方にずらして、取付ねじ８０を押え金具９０の長孔９０ａ及び切れ目９３の上方部に位置させてねじ結合し、ずれパッキン９を扉体５の下端部に装着する。また、図６（ｃ）に示すように、スライド扉装置の設置位置の床面８が傾斜している場合には、扉体５の左右の下部と床面８との隙間Ｓ3，Ｓ4の広さが違うので、床面８の傾斜に沿ってずれパッキン９を傾斜させて扉体５の下端部に装着する。この場合、ずれパッキン９は、隙間Ｓ3の広い側（図６（ｃ）において左側）を下方にずらし、隙間Ｓ4の狭い側（図６（ｃ）において右側）を上方にずらすことで、床面８の傾斜に沿って扉体５の下端部に装着することができる。なお、この場合、取付片９２は可撓性を有しているので、ずれパッキン９を傾斜した状態で扉体５に装着する場合でも、切れ目９３がずれパッキン９の傾斜を吸収して、ずれパッキン９の両端部を扉体５に対して傾斜させずに強制的に装着することができる。
【００３１】
このようにずれパッキン９を形成することにより、扉体５の下端と床面８との隙間Ｓが広い場合や、扉体５の左右の下部と床面８との隙間の広さが違う場合でも、扉体５の下端と床面８との隙間Ｓを容易かつ確実に塞ぐことができるので、庫体１内の雰囲気を維持することができる。
【００３２】
なお、上記実施形態では、この発明に係るスライド扉装置をプレハブ式の冷蔵庫に適用した場合について説明したが、プレハブ式の冷蔵庫以外の例えばクリーンルーム、保管庫あるいは保冷凍庫等や一般の建物にも同様に適用できることは勿論である。
【図面の簡単な説明】
【００３３】
【図１】この発明に係るスライド扉装置を示す概略正面図である。
【図２】上記スライド扉装置を示す断面図である。
【図３】この発明におけるパッキンの取付状態を示す斜視図である。
【図４】この発明における押え金具を示す要部正面図である。
【図５】この発明におけるパッキンの取付状態を示す分解斜視図である。
【図６】この発明におけるパッキンの取付形態を示す概略正面図である。
【符号の説明】
【００３４】
１  庫体
２  出入口用開口部
３  案内レール
５  扉体
７  吊り車輪
８  床面
９  ずれパッキン
８０  取付ねじ（ねじ部材）
９０  押え金具
９０ａ  長孔
９３  切れ目
【図１】
2005344948.tif 000003
【図２】
2005344948.tif 000004
【図３】
2005344948.tif 000005
【図４】
2005344948.tif 000006
【図５】
2005344948.tif 000007
【図６】
2005344948.tif 000008